(57)【要約】【課題】複雑な加工や構造を必要とせず、また、ランプの出力を上げることなく、従来に比べて輝度を上昇させることができるとともに、輝度ムラが発生しにくい液晶モジュールを提供する。【解決手段】リヤフレーム１と、リヤフレーム１に配置された反射シート２と、リヤフレームの正面側に配置された液晶表示ユニット５と、台座８１より円錐状の柱状部８２が突出されたパネルポスト８とを有し、リヤフレーム１の背面１１には、パネルポスト８の台座８１が配置された凹溝１４が、反射シート２にはパネルポスト８の柱状部８２が貫通する第１貫通孔２１が形成されており、リヤフレーム１の凹溝１４に柱状部８２が突出するように台座８１を固定し、反射シート２の第１貫通孔２１が柱状部８２に貫通されるとともに、リヤフレーム１と密接させて固定されている液晶モジュールＡ。【選択図】図３
2009031490.tif 000002
【特許請求の範囲】
【請求項１】
金属板を切り曲げて箱型に形成されたリヤフレームと、
前記リヤフレームに配置された反射シートと、
前記リヤフレームの正面側に配置された液晶表示ユニットと、
平板状の台座より円錐状の柱状部が突出されたパネルポストとを有し、
前記リヤフレームの背面には、前記パネルポストの台座が配置された凹溝が、前記反射シートには前記パネルポストの柱状部が貫通する第１貫通孔が形成されており、
前記リヤフレームの凹溝に前記柱状部が突出するように台座を固定し、前記反射シートが前記第１貫通孔を前記柱状部で貫通させるとともに、前記リヤフレームと密接させて固定されていることを特徴とする液晶モジュール。
【請求項２】
前記パネルポストの台座には、前記柱状部に加えて、前記柱状部と並んで突設され、光源であるランプを支持するランプ支持部が複数個備えられており、
前記反射シートが前記ランプ支持部を貫通させるための第２貫通孔を備えている請求項１に記載の液晶モジュール。
【請求項３】
前記柱状部の表面が光反射面として形成されている請求項１又は請求項２に記載の液晶モジュール。
【請求項４】
前記凹溝が絞り加工で形成されたものである請求項１から請求項３のいずれかに記載の液晶モジュール。
【発明の詳細な説明】
【技術分野】
【０００１】
本発明は、輝度を上げるとともに、輝度ムラの発生を抑制した液晶モジュールに関する。
【背景技術】
【０００２】
液晶モジュールは、薄型、軽量、低消費電力であるという特徴を有するものであり、ノートＰＣ、ＰＣ用モニタ、ＴＶ受像機等の映像を表示する表示装置として広く用いられている。前記液晶モジュールは、リヤフレームに配置されたランプより出射された光が液晶セルを透過することで、映像を形成するものである。
【０００３】
前記ランプより出射された光を前記液晶セルに向けて反射させ、高輝度を得るために前記リヤフレームに、反射シートが取り付けられている。前記反射シートを用いることで、前記ランプより出射された光のうち、前記リヤフレームに向けて照射している光を効果的に前記液晶セルに入射させることができる。
【０００４】
近年、液晶表示装置は大型化する傾向にあり、それにあわせて前記液晶モジュールも大型化している。前記液晶モジュールが大型化することで、前記液晶セルや前記液晶セルに入射される光を拡散させるための拡散板及び拡散シートの面積も大きくなる。
【０００５】
前記液晶セル、前記拡散板及び前記拡散シートは薄板状でありたわみやすい。これらの薄板状の部材は、通常使用時にはたわみが発生しないように設計されているが、中央部に荷重が付加されたりすると、たわみが発生する場合がある。そこで、前記リヤフレームにパネルポストを配置し、前記荷重が付加されたときに、前記パネルポストで前記荷重を支持するようにされている。前記パネルポストは、十分な強度を確保するために、平板上の台座に複数本の柱状部が一体突設されたものを、前記反射シートの上部より前記リヤフレームに固定することで、取り付けられている。
【０００６】
また、特開２００７−６５１２０号公報には、リヤフレームの背面部を山形に盛り上げて形成された通し桟が形成されており、前記通し桟に密接するように反射シートを配置する。また、前記山形の通し桟の稜線部より突出した突起が形成されており、光拡散板がたわみ変形したときに前記突起で支えるように構成されているものが示されている。
【０００７】
【特許文献１】特開２００７−６５１２０号公報
【発明の開示】
【発明が解決しようとする課題】
【０００８】
しかしながら、上述のような、台座の上に柱状部が形成されているパネルポストを用いる場合、パネルポストは前記反射シートよりも前記ランプ側に配置されてしまうので、その部分で反射効率が低下し、輝度ムラの原因になる場合がある。
【０００９】
また、特開２００７−６５１２０号公報に記載の発明では、前記通し桟の表面を光反射面としているが、反射シートの光反射効率よりも高くするのは難しい。また、前記通し桟の稜線部より突出した支持用の突起を備えているものが示されているが、この場合、突起用の突起を取り付ける部分の構造が複雑になりやすく、前記通し桟及び前記突起の長さ両方必要なだけ、液晶モジュールが厚くなりやすい。
【００１０】
そこで本発明は、複雑な加工や構造を必要とせず、また、ランプの出力を上げることなく、従来に比べて輝度を上昇させることができる液晶モジュールを提供することを目的とする。
【００１１】
また本発明は、簡単な構造を有するとともに、従来に比べて輝度ムラが発生しにくい液晶モジュールを提供することを目的とする。
【課題を解決するための手段】
【００１２】
上記目的を達成するために本発明は、金属板を切り曲げて箱型に形成されたリヤフレームと、前記リヤフレームに配置された反射シートと、前記リヤフレームの正面側に配置された液晶表示ユニットと、平板上の台座より前記液晶表示ユニットを支持する円錐状の柱状部が突出されたパネルポストとを有し、前記リヤフレームの背面には、前記パネルポストの台座が配置された凹溝が、前記反射シートには前記パネルポストの柱状部が貫通する第１貫通孔が形成されており、前記リヤフレームの凹溝に前記柱状部が突出するように台座を固定し、前記反射シートが前記貫通孔を前記柱状部で貫通させるとともに、前記リヤフレームと密接させて固定されている液晶モジュールを提供する。
【００１３】
この構成によると、前記反射シートとランプとの間に配置される部材を減らすことができるので、輝度ムラの発生を抑制することが可能である。また、前記反射シートが平面状に配置されるように、形成されており、前記反射シートがたわんだり、折れたりすることで発生する輝度ムラを抑制することができる。
【００１４】
上記構成において、前記パネルポストの台座には、前記柱状部に加えて、前記柱状部と並んで突設され、光源であるランプを支持するランプ支持部が複数個備えられており、
前記反射シートが前記ランプ支持部を貫通させるための第２貫通孔を備えていてもよい。
【００１５】
上記構成において、前記柱状部の表面が光反射面として形成されているものであってもよい。この構成によると、反射シートの正面側に配置された柱状部を光反射効率が高くなるように形成しているので、光反射量を増加させることができ、輝度を挙げることができる。
【００１６】
上記構成において、前記凹溝が絞り加工で形成されたものであってもよい。
【発明の効果】
【００１７】
本発明によると、複雑な加工や構造を必要とせず、また、ランプの出力を上げることなく、従来に比べて輝度を上昇させることができる液晶モジュールを提供することができる。
【００１８】
また本発明によると、簡単な構造を有するとともに、従来に比べて輝度ムラが発生しにくい液晶モジュールを提供することができる。
【発明を実施するための最良の形態】
【００１９】
以下に本発明の実施形態を図面を参照して説明する。図１は本発明にかかる液晶モジュールの分解斜視図である。図１に示すように、液晶モジュールＡは少なくとも、リヤフレーム１、反射シート２、ランプ３、ランプフレーム３１、光拡散部材４、液晶セル５、ベゼル６、パネルポスト８を有している。
【００２０】
リヤフレーム１は金属板を折り曲げて形成されたものであり、長方形状の背面部１１と、背面部１１の一対の長辺より立設された立ち上り部１２と、背面部１１の一対の短辺より立設された枠部１３とを有している。立ち上り部１２は背面部１１より立ち上がる接続部１２１と、接続部１２１と連結され、液晶パネル４の長辺を支持する支持部１２２と、支持部１２２と連結され、接続部１２１と対抗する外枠部１２３とを有している。また、リヤフレーム１の背面側（ランプ３と反対側）には、タイミングコントローラ基板(不図示）がねじ止めにて固定されている。
【００２１】
反射シート２はリヤフレーム１の正面側に配置されるものであり、リヤフレーム１の背面部１１及び接続部１２１と密接して取り付けられている。リヤフレーム１の正面側には反射シート２を配置した後、バックライトとして用いられるランプ３が配置される。ランプ３はＵ字状に形成された陰極管であり、その両端部にはランプホルダ３０が取り付けられている。ランプホルダ３０は背面１１、接続部１２１及び枠部１３と接触し他状態で固定されている。ランプホルダ３０には図示を省略した電線が接続されており、この電線よりランプ３を駆動するための電力が供給される。
【００２２】
リヤフレーム１の短辺には正面側より取り付けられ、ランプ３のランプホルダ３０及び折り返し部を保持するためのランプフレーム３１が備えられている。ランプフレーム３１は台状に形成されており、リヤフレーム１の背面部１１及び接続部１２１と接触するように配置されている。また、ランプフレーム３１はリヤフレーム１の短辺に配置された状態でリヤフレーム１の支持部１２２と同一平面上に配置される支持部３１１を備えている。
【００２３】
光拡散部材４はランプ３より出射された光及び反射シート２で反射された光を拡散するための拡散板４１及び拡散シート４２と、セルガイド４３とを有している。拡散板４１はリヤフレーム１の支持部１２２及びランプフレーム３１の支持部３１１に外周部を支持されており、その上部に２枚の拡散シート４２が配置されている。セルガイド４３は、拡散板４１、拡散シート４２の四辺を上面側よりリヤフレーム１の支持部１２２及びランプフレーム３１の支持部３１１に向けて押える長方形状の枠体である。セルガイド４３は、各角部を含む４個のＬ字状の部材に分割される。
【００２４】
セルガイド４３の上部に液晶セル５が載置されている。液晶セル５は、液晶パネル５１と、液晶パネル５１に接続されたソースドライバ５２と、ゲートドライバ５３とを有している。液晶パネル５１は平行に配置された２枚のガラス基板５１１、５１２と、ガラス基板５１１、５１２の間に充填された液晶層５１３とを有している。
【００２５】
液晶セル５において、ガラス基板５１１には映像が形成される映像領域に形成された透明電極（共通電極：図示省略）が備えられている。また、ガラス基板５１２には、画素ごとに独立して形成された透明電極（画素電極：図示省略）が備えられており、画素電極にはスイッチング素子（トランジスタ：図示省略）が取り付けられている。なお、共通電極と画素電極は互いに他方のガラス基板に形成されるようにしてもよい。
【００２６】
ベゼル６はリヤフレーム１及びランプフレーム３１を覆うことができる金属製の枠体であり、正面側に液晶セル５の映像表示部を外部より視認することができる開口６０を有している。また、ベゼル６は断面Ｌ字状を有しており、リヤフレーム１の支持部１２２及びランプフレーム３１の支持部３１１と対向する正面部６１と、リヤフレーム１の外枠部１２３と当接する側面部６２とを有している。ベゼル６はねじ止めにてリヤフレーム１及び枠部１３に固定されている。
【００２７】
パネルポスト８について図面を参照して説明する。図２はパネルポストの側面図である。パネルポスト８は樹脂の一体成型による部材である。図２に示すように、パネルポスト８は薄型の直方体形状を有する台座８１と、台座８１に一体突設された円錐形状の柱状部８２と、台座８１より柱状部８２と同方向に一体的に突設されたランプ支持部８３とを有している。なお、パネルポスト８は、液晶モジュールＡには、４個取り付けられている。パネルポスト８は、それぞれ、長手方向に所定の距離はなれた位置で、短手方向に２個ずつ並んで配置されている。
【００２８】
それには限定されないが、ここでは、柱状部８２は台座８１の中央に配置されており、その両側に４個ずつランプ支持部８３が配置されている。柱状部８２の先端８２ｔには先端が切断された支持平面８２１が形成されている。
【００２９】
ランプ支持部８３は、台座８１より伸びる脚部８３１と、脚部８３１の先端に形成され、一部が欠損した円環状の支持枠部８３２とを有している。支持枠部８３２はランプ３の外径にあわせて形成されているものであり、それには限定されないが、ここでは、支持枠部８３２の欠損部は１８０度よりも小さな中心角度を有するものであり、欠損部の最大幅は、ランプ３の外径よりも小さくなるように形成されている。このことにより、支持枠部８３２が弾性変形することで、ランプ３を取り囲み、支持枠部８３２に所定以上の力（支持枠部８３３２を変形させることができる力）が作用しない限り、ランプ３が支持枠部８３２から外れないように支持される。脚部８３１及び支持枠部８３２の形状を適切に設定してやることで、ランプ３に不要な応力やひずみを発生させることなく安定して支持することが可能である。
【００３０】
図３は本発明にかかる液晶モジュールのパネルポストが取り付けられている部分で切断した断面図である。図３に示すように、リヤフレーム１の背面部１１には、凹溝１４が形成されている。図３に示すように、凹溝１４は短手方向に伸びる形状を有するものであり、パネルポスト８の台座８１が完全に挿入される長さ、幅及び深さを有するものである。凹溝１４はそれには限定されないが、ここでは、絞り加工にて形成されるものである。
【００３１】
図３に示すように、凹溝１４の内部にパネルポスト８の台座８１が配置されている。台座８１はそれには限定されないが、ここでは、粘着テープにて接着固定されている。これ以外にも、はめ込み固定、ビス止め、接着、溶着等、固定後、容易にずれたり、動いたりしない固定方法を広く採用することが可能である。図３に示すように、台座８１より、液晶モジュールＡの正面側にむけて、柱状部８２とランプ支持部８３とが突設されている。柱状部８２及びランプ支持部８３は背面部１１よりも正面側に突出している。
【００３２】
リヤフレーム１の背面部１１の正面側には反射シート２が密接するように固定されている。図３に示すように、反射シート２の柱状部８２及びランプ支持部８３と重なる部分には、第１貫通孔２１及び第２貫通孔２２が形成されている。第１貫通孔２１は柱状部８２が第２貫通孔２２はランプ支持部８３がそれぞれ貫通している。
【００３３】
第１貫通孔２１及び第２貫通孔２２は矩形状の孔であり、柱状部８２及びランプ支持部８３がゆとりを持って貫通することができる大きさの孔である。このように、ゆとりを持たせることで、反射シート２の面積は減少するが、第１貫通孔２１及び（又は）第２貫通孔２２が、柱状部８２及び（又は）ランプ支持部８３と緩衝して、反射シート２が浮いてしまったり、しわになったりして、背面部１１に取り付けられることを抑制することができる。
【００３４】
図３に示すように、パネルポスト８の台座８１が凹溝１４に完全に隠れてしまう用に配置されるものであり、第１貫通孔２１及び第２貫通孔２２と、柱状部８２及びランプ支持部８３との干渉による反射シート２の乱れを抑制することができる。これにより、背面部１１に配置される反射シート２は平滑な平面を形成するように配置され、反射シート２で反射される光による輝度ムラの発生を抑制することができることを示している。
【００３５】
また、図３に示すように柱上部８２の先端８２ｔに形成された支持平面８２１は液晶モジュールＡが通常使用されているときには、もっとも近接配置された拡散板４１と接触しないように配置されている。この拡散板４１との距離が適切に設定されていることで、温度変化、外力の付加、液晶モジュールの姿勢変化（リヤフレーム１の背面部１１が下に配置された場合等）によって、拡散板４１、拡散シート４２、液晶セル５等のパネル部材がリヤフレーム１の内方に張り出すようにたわんでも、支持平面８２１がパネル部材を支持することができる。これにより、パネル部材のたわみ量が所定の値を超えるのを抑制することができる。
【００３６】
液晶モジュールＡを通常使用状態しているときは、拡散板４１、拡散シート４２、液晶セル５等のパネル部材の機能が十分に発揮されるとともに、パネル部材が所定量以上たわむことで、輝度ムラが発生したり、パネル部材が破損したりするのを抑制することができる。
【００３７】
パネルポスト８の反射シート２より突出する部分、すなわち、柱状部８２及びランプ支持部８３は表面が光反射面となるように形成されていてもよい。これらの部材の表面が光を反射しやすく形成されていることで、ランプ３から照射される光の反射量を増やすことが可能であるとともに、柱状部８２及びランプ支持部８３と反射シート２との光反射量の違いをなるべく少なくすることができ、それだけ、輝度ムラを抑制することが可能である。
【００３８】
柱状部８２及びランプ支持部８３の表面を光反射面とする方法としては、光反射効果が高い塗装を施す、或いは、光反射効果が高い材料を利用して製造する等を挙げることができるが、これらに限定されるものではない。
【００３９】
また、背面部１１に形成された凹溝１４にパネルポスト８の台座８１を配置させるものの場合、台座８１が凹溝１４に対して小さい場合がほとんどである。このとき、反射シート２が背面部１１に取り付けられたときに、凹溝１４に対応する部分が、台座８１の大きさに合わせてへこんでしまう可能性がある。そこで、台座８１を配置した後に、凹溝１４に詰めものを挿入して、凹溝１４が形成されている部分の高さを他の部分と同等になるように形成してもよい。このように形成することで、反射シート２が凹溝１４の凹みによって湾曲し、輝度ムラが発生するのを抑制することができる。このとき、凹溝１４に挿入される部材の好ましいものの例として、紫外線硬化性の樹脂、熱可塑性樹脂等、液晶モジュールＡの駆動時には起こりえない特殊な状態にて硬化する樹脂を挙げることができる。もちろん、これらに限定されるものではなく、凹溝１４の過度な凹みを補うことができるものを広く採用することが可能である。
【００４０】
以上、発明の実施形態を具体的に説明したが、本発明は上記実施形態に限定するものではなく、その要旨を逸脱しない範囲で種々変更可能である。
【産業上の利用可能性】
【００４１】
本発明は、液晶モジュールに採用することが可能である。
【図面の簡単な説明】
【００４２】
【図１】本発明にかかる液晶モジュールの分解斜視図である。
【図２】パネルポストの側面図である。
【図３】本発明にかかる液晶モジュールのパネルポストが取り付けられている部分で切断した断面図である。
【符号の説明】
【００４３】
１  リヤフレーム
１１  背面部部
１２  立ち上り部
１２１  接続部
１２２  支持部
１２３  外枠部
１３  枠部
１４  凹溝
２  反射シート
２１  貫通孔
３  ランプ
３１  ランプフレーム
４  光拡散部材
４１  拡散板
４２  拡散シート
４３  セルガイド
５  液晶セル
５１  液晶パネル
５２  ソースドライバ
５３  ゲートドライバ
６  ベゼル
８  パネルポスト
８１  柱状部
８２  ランプ支持部
【図１】
2009031490.tif 000003
【図２】
2009031490.tif 000004
【図３】
2009031490.tif 000005